(57)【特許請求の範囲】
【請求項１】
基盤面に接するゴム材と、このゴム材の上下方向に形成した貫通穴と、この貫通穴に備えられたボルトと、からなる水周り部材の支持脚であって、
当該貫通穴を囲んでゴム材中に円盤状プレートが埋設され、この円盤状プレートへ当該ゴム材の基盤面側からボルトを挿入し、貫通した当該ボルトに円盤状樹脂プレートを挿入し、当該ボルトにナットを螺合して、かかる円盤状樹脂プレートの上へ移動させて当該円盤状樹脂プレートに当該水周り部材の荷重を伝播させることを特徴とする水周り部材の支持脚 。
【請求項２】
前記貫通穴はゴム材の上面側に窪み段部が備えられ、当該窪み段部内に円盤状樹脂プレートを挿入した請求項１に記載の水周り部材の支持脚 。
【請求項３】
前記円盤状樹脂プレートが、ナイロン、ポリエチレン、ポリプロピレン、ポリスチレンから選択された請求項１又は２に記載の水周り部材の支持脚 。
【請求項４】
前記ゴム材の硬度が４０〜７０度である請求項１乃至３のいずれか１項に記載の水周り部材の支持脚 。
【請求項５】
前記ゴム材が、２５０〜４５０ｋｇの荷重範囲で４５０（ｋｇ／ｍｍ）±１５％の静的バネ定数である請求項１乃至４のいずれか１項に記載の水周り部材の支持脚 。
【請求項６】
前記ゴム材が、クロロプレンゴムである請求項１乃至５のいずれか１項に記載の水周り部材の支持脚。
【発明の詳細な説明】
【０００１】
【発明の属する技術分野】
本発明は水周り部材の支持脚に関するものであり、更に詳しくは、防音性能に優れた支持脚を提供するものである。
【０００２】
【従来の技術】
近年、集合住宅は元より、戸建て住宅にあっても浴室などはユニット化された部材をコンクリート上に設置する手法が広く採用されている。例えば、浴槽や浴室の床パンにあっては、裏側に補強材を固定し、或いは枠材を配置し、これに高さの調整できる支持脚を取り付けたものであって、施工現場で高さを調整しつつ作業を進めることとなる。かかる支持脚は一般には先端にゴム材を備えたボルト状のものであって、補強材或いは枠材側に固定したナットに螺合して高さを調節する構造のものである。
【０００３】
図５は従来から採用されている支持脚の構造を示すものである。床パン３０に対しその裏側に補強部材３１が備えられ、これにナット３２を固定したものであり、このナット３２に対してボルト３３が螺合されるもので、この螺合の調整により床パン３０（水周り部材）の高さを調整して夫々に必要な位置を設定するものである。
【０００４】
このような構造の支持脚とすることにより水周り部材の高さが調整されるが、施工作業上も優れたものであるが、未だ十分でない面もあり、特に防音・防振性能については問題が指摘されており、ボルト３３にゴム部材を連結する等の工夫を凝らすべき点がある。
【０００５】
【発明が解決しようとする課題】
本発明はボルトに連結するゴム材の性状を特定することにより特に水周りの支持脚として好ましいものとし、これに加え、更に構造を改良することによって防音性能を向上した支持脚を提供するものである。
【０００６】
【課題を解決するための手段】
本発明の要旨は、基盤面に接するゴム材と、このゴム材の上下方向に形成した貫通穴と、この貫通穴に備えられたボルトと、からなる水周り部材の支持脚であって、当該貫通穴を囲んでゴム材中に円盤状プレートが埋設され、この円盤状プレートへ当該ゴム材の基盤面側からボルトを挿入し、貫通した当該ボルトに円盤状樹脂プレートを挿入し、当該ボルトにナットを螺合して、かかる円盤状樹脂プレートの上へ移動させて当該円盤状樹脂プレートに当該水周り部材の荷重を伝播させることを特徴とする水周り部材の支持脚にかかるものである。
【０００７】
そして、構造的には貫通穴はゴム材の上面側に窪み段部が備えられ、当該窪み段部内に円盤状樹脂プレートを挿入したもので、この円盤状樹脂プレートが、ナイロン、ポリエチレン、ポリプロピレン、ポリスチレンから選択されたものである。ゴム材はその硬度が４０〜７０度（ショア硬度Ａ）で、更にこのゴム材の性状が２５０〜４５０ｋｇの荷重範囲で４５０（ｋｇ／ｍｍ）±１５％の静的バネ定数である。具体的にはゴム材質はクロロプレンゴムである。
【０００８】
【発明の実施の形態】
本発明の水周り部材の支持脚は、特定のゴム材質を用い、しかも特定の構造を持つが故に、支持脚として優れたものとなり、特に防音性能を向上したもので、これを水周り部材の支持脚として使用すれば、水の落ちる音や洗面器等を落とした際の音が階下に伝播することが著しく低減することとなったものである。
このことは、ゴム弾性体の性状を特定したこと共に、床パンからの振動や荷重を樹脂プレートを介して伝播することから、金属ボルトが直にコンクリート面に接触する場合と比べてその伝播が低減することとなったものである。そして、その樹脂プレートは上底面に形成された窪み段部内に収納されることから、組立作業性が優れているだけでなく、荷重の負荷は確実に伝達されることとなる。
【０００９】
【実施例】
以下、本発明を実施例をもって更に詳細に説明する。
図１は本発明の水周り部材の支持脚の切断側面図であり、図２は上面図、図３は底面図である。
先ず、本発明の水周り部材の支持脚を構造的に述べれば、１は下底直径６６ｍｍ、上底直径４０ｍｍ、高さ２８ｍｍのゴム弾性体であり、高さの中央より上底に向かってテーパー面をなしている。下底の中央には上底に向かって直径２０ｍｍの穴２が開けられ、上底における穴２は窪み段部３が形成されている。そして、この穴２よりやや小さい穴４を有する金属製の円盤状プレート５がゴム弾性体１中に埋設されている。６はボルトであって、ボルト６の下端部にストッパー７が固定されている。このボルト６はゴム弾性体１の下底側から穴２内に挿入され、ストッパー７が円盤状プレート５にて阻まれてそれ以上の挿入が阻止されている。８はナイロン樹脂よりなる円盤状プレートであり、ボルト６に螺合されたナット９が円盤状プレート８に当接しつつこれをボルト６に固着したものである。ナット１０はボルト６の抜け防止部材となる。このボルト６の上端部は例えば床パン２０の裏側に備えられた補強部材２１に装着されたナット２２と螺合するもので、このボルト６を回動することによって高さが調整されるものである。尚、ナット２３は高さ調整が終了後にボルト６の回動を防止する締めナットの役目をなす。尚、ボルト６はＭ１６×２である。
【００１０】
さて、この例ではゴム弾性体１はクロロプレンゴムにて構成され、このゴム硬度が４０〜７０度（硬度Ａ）、静的バネ定数が２５０〜４５０ｋｇの荷重の範囲で４５０（ｋｇ／ｍｍ）±１５％としたことによりより特徴ある支持脚となったものである。
【００１１】
以下、実験例をもって更に詳細にその効果を証明する。
（試験設備）
音響実験棟上下残響室にて、上回（３ｍ×４ｍ×厚１５０ｍｍ）に防水パンＣＰ１３１７（１３８０×１７８０×高２１５ｍｍ）を設置する。防水パン洗場に各床衝撃を加え下室残響室にて騒音値を測定する。防水パンには実使用状況を想定し、周囲にユニットバスの壁、天井重量分のウエイト（１５０ｋｇ）を積載し、又、浴槽には２００リットルの水を張った。
【００１２】
（騒音源）
ａ）軽量床衝撃源（タッピングマシン）
ｂ）ゴルフボール落下（高さ６０ｃｍ）
ｃ）洗面器（重量物３００ｇ）落下（高さ６０ｃｍ）
ｄ）石鹸落下（高さ３０ｃｍ）
ｅ）椅子（重量物１．２ｋｇ）引きずり
ｆ）シャワー散水（毎分１８リットル高さ１ｍ）
ｇ）座った状態での引きずり
ｈ）浴槽洗浄
ｉ）浴槽底面への落水（毎分２０リットル、高さ浴槽面より６０ｃｍ）
ｊ）洗場上での足踏み
ｋ）洗面器からの落水（高さ洗場より１５０ｃｍ）
ｌ）浴槽排水
【００１３】
（試験サンプル）
試験サンプル１・支持脚六角ボルト＋直置き（標準支持脚）
試験サンプル２・本発明の支持脚（ゴム硬度７０度）
試験サンプル３・本発明の支持脚（ゴム硬度５０度）
試験サンプル４・本発明の支持脚（ゴム硬度４０度）
【００１４】
（試験結果）
試験結果は図４の通りである。
【００１５】
本発明は標準支持脚と比較して同等或いはそれ以上の効果があることが判明した。この結果は、ゴム硬度を特定の範囲に限定したことと、床パンからの荷重が樹脂プレートを介して階下に伝播されることから、騒音レベルが低下するものと考えられる。尚、本発明はその基本を変えることなく設計状の変更は当然であり、例えば、図示はしないが、ゴム弾性体の下面に一部が側方に突出する金属プレートを加硫接着し、これに穿孔した穴部をもってコンクリート面に固定する等という変更が行える。
【図面の簡単な説明】
【図１】図１は本発明の水周り部材の支持脚の切断側面図である。
【図２】図２は図１の上面図である。
【図３】図３は図１の底面図である。
【図４】図４は各種試験結果を示す表である。
【図５】図５は従来の支持脚を示す図である。
【符号の説明】
１‥ゴム弾性体、
２‥中央部の穴、
３‥窪み段部、
５‥円盤状プレート、
６‥ボルト、
７‥ストッパー、
８‥円盤状樹脂プレート、
２０‥床パン、
２１‥補強部材、
２２‥ナット。
【図１】
0004319327.tif 000002
【図２】
0004319327.tif 000003
【図３】
0004319327.tif 000004
【図４】
0004319327.tif 000005
【図５】
0004319327.tif 000006